(57)【要約】【課題】本発明は、ゴルファにとって極めて有用なコース戦略上の種々の有用な情報を得ることができ、また、ゴルフ場等の運営者側にとっても顧客増、売上増等営業戦略上極めて有用なゴルフスコアリングシステムを提供する。【解決手段】本発明のゴルフスコアリングシステム１は、ゴルフコースの各ホール別のホールレイアウトを記した記入用紙群を備えるとともに、ゴルファのゴルフプレイに応じて各ホール別のゴルフボールの打点及び軌跡、スコア、使用クラブの情報が記入用紙群に手書き加筆された加筆スコアカード２と、加筆スコアカード２における各記入用紙３別にその画像情報を取得する画像取得手段１０と、加筆スコアカード２に対応する各ホール別のホールレイアウト、スコア及び使用クラブの情報表示欄を有する出力頁情報群を含む未加筆スコアカード情報を記憶し、画像取得手段１０にて取得した各記入用紙３別の画像情報と、未加筆スコアカード情報における対応する各出力頁情報との画像比較に基づき、各ホール別のゴルフボールの打点及び打順に対応した軌跡の決定と、各ホール別のスコア及び使用クラブの情報を抽出とを行い、各ホール別のゴルフボールの打点及び軌跡と、スコア及び使用クラブの情報とを対応する各出力頁情報に付加して出力スコアカード２Ａを生成して出力するコンピュータ装置２０と、を含む構成としたものである。【選択図】図１
2009091060.tif 000002
【特許請求の範囲】
【請求項１】
ゴルフコースの各ホール別のホールレイアウトを記した記入用紙群を備えるとともに、ゴルファのゴルフプレイに応じて各ホール別のゴルフボールの打点及び軌跡、スコア、使用クラブの情報が記入用紙群に手書き加筆された加筆スコアカードと、
前記加筆スコアカードにおける各記入用紙別にその画像情報を取得する画像取得手段と、
前記加筆スコアカードに対応する各ホール別のホールレイアウト、スコア及び使用クラブの情報表示欄を有する出力頁情報群を含む未加筆スコアカード情報を記憶し、前記画像取得手段にて取得した各記入用紙別の画像情報と、未加筆スコアカード情報における対応する各出力頁情報との画像比較に基づき、各ホール別のゴルフボールの打点及び打順に対応した軌跡の決定と、各ホール別のスコア及び使用クラブの情報を抽出とを行い、各ホール別のゴルフボールの打点及び軌跡と、スコア及び使用クラブの情報とを対応する各出力頁情報に付加して出力スコアカード情報を生成して出力するコンピュータ装置と、
を含むことを特徴とするゴルフスコアリングシステム。
【請求項２】
ゴルフコースの各ホール別のホールレイアウトを記した記入用紙群を備えるとともに、ゴルファのゴルフプレイに応じて各ホール別のゴルフボールの打点及び軌跡、スコア、使用クラブの情報が記入用紙群に手書き加筆された加筆スコアカードと、
前記加筆スコアカードにおける各記入用紙別にその画像情報を取得する画像取得手段と、
前記加筆スコアカードに対応する各ホール別のホールレイアウト、スコア及び使用クラブの情報表示欄を有する出力頁情報群を含む未加筆スコアカード情報を記憶する基本情報記憶手段と、取得した各記入用紙別の画像情報と、未加筆スコアカード情報における対応する各出力頁情報との画像比較により、各ホール別のゴルフボールの打点及び打順に対応した軌跡の判定を行い、対応する各出力頁情報のホールレイアウト上に各々付加するゴルフボール情報処理手段と、前記各ホール別の画像情報からスコア及び使用クラブの情報を抽出し、対応する各出力頁情報のスコア及び使用クラブの情報表示欄に各々付加する文字情報処理手段と、各ホール別のゴルフボールの打点及び軌跡とスコア及び使用クラブの情報とが付加された各出力頁情報を出力スコアカード情報として記憶する出力情報記憶手段と、前記出力スコアカード情報を出力する出力手段と、を有するコンピュータ装置と、
を含むことを特徴とするゴルフスコアリングシステム。
【請求項３】
ゴルフコースの各ホール別のホールレイアウトを記した記入用紙群を備えるとともに、ゴルファのゴルフプレイに応じて各ホール別のゴルフボールの打点及び軌跡、スコア、使用クラブの情報が記入用紙群に手書き加筆された加筆スコアカードと、
前記加筆スコアカードにおける各記入用紙別にその画像情報を取得する画像取得手段と、
前記加筆スコアカードに対応する各ホール別の距離情報を含むホールレイアウト、スコア及び使用クラブの情報表示欄を有する出力頁情報群を含む未加筆スコアカード情報を記憶する基本情報記憶手段と、取得した各記入用紙別の画像情報と、未加筆スコアカード情報における対応する各出力頁情報との画像比較により、各ホール別のゴルフボールの打点及び打順に対応した軌跡の判定を行い、対応する各出力頁情報のホールレイアウト上に各々付加するゴルフボール情報処理手段と、前記各ホール別の画像情報からスコア及び使用クラブの情報を抽出し、対応する各出力頁情報のスコア及び使用クラブの情報表示欄に各々付加する文字情報処理手段と、各ホール別のゴルフボールの打点及び軌跡とスコア及び使用クラブの情報とが付加された各出力頁情報を出力スコアカード情報として記憶する出力情報記憶手段と、前記各ホール別の画像情報から判定した各ホール別のゴルフボールの打点及び打順、前記各ホール別の画像情報から抽出したスコア及び使用クラブ及び前記距離情報の各情報に基づき、当該ゴルファの詳細プレーデータ分析を行い、分析結果を蓄積するプレーデータ分析・蓄積処理手段と、前記出力スコアカード情報、前記詳細プレーデータ分析の結果を出力する出力手段と、を有するコンピュータ装置と、
を含むことを特徴とするゴルフスコアリングシステム。
【請求項４】
前記ホールレイアウトは、実際のコースの色彩を反映させたカラー情報である請求項１乃至３のいずれかに記載のゴルフスコアリングシステム。
【請求項５】
前記ゴルフボール情報処理手段は、取得した各記入用紙別の加筆情報と、対応する未加筆スコアカード情報における各出力頁情報上の未加筆領域との差分情報から加筆強度画像を算出、作成し、加筆強度画像中で点状のものを加筆点、線状のものを加筆線として抽出し、加筆点と加筆線の繋がりから各ホール別のゴルフボールの打点及び打順に対応した軌跡を決定することを特徴とする請求項１乃至４のいずれかに記載のゴルフスコアリングシステム。
【請求項６】
前記プレーデータ分析・蓄積処理手段は、前記各ホール別の画像情報から抽出したスコア及び使用クラブの情報及び前記距離情報に基づき、ティーショット、飛距離、フェアウェイキープ、ラフ打ち込み、バンカー打ち込み、ハザード、ＯＢ、パット、パーオン、ワンオン等に関する各種の詳細情報を分析し蓄積することを特徴とする請求項３に記載のゴルフスコアリングシステム。
【請求項７】
ゴルフ場のコンピュータシステムと、ゴルフプレイデータ管理コンピュータシステムと、顧客のコンピュータ端末又は携帯電話と、これら各要素間の交信を行う通信網と、を含むゴルフプレイデータ配信システムであって、
前記ゴルフ場のコンピュータシステムは、
ゴルフコースの各ホール別のホールレイアウトを記した記入用紙群を備えるとともに、ゴルファのゴルフプレイに応じて各ホール別のゴルフボールの打点及び軌跡、スコア、使用クラブの情報が記入用紙群に手書き加筆された加筆スコアカードと、
前記加筆スコアカードにおける各記入用紙別にその画像情報を取得する画像取得手段と、
前記加筆スコアカードに対応する各ホール別のホールレイアウト、スコア及び使用クラブの情報表示欄を含む出力頁情報群を有する未加筆スコアカード情報を記憶し、前記画像取得手段にて取得した各記入用紙別の画像情報と、未加筆スコアカード情報における対応する各出力頁情報との画像比較に基づき、各ホール別のゴルフボールの打点及び打順に対応した軌跡の決定と、各ホール別のスコア及び使用クラブの情報を抽出とを行い、各ホール別のゴルフボールの打点及び軌跡と、スコア及び使用クラブの情報とを対応する各出力頁情報に付加して出力スコアカード情報を生成して出力するコンピュータ装置と、を含み、
前記ゴルフプレイデータ管理コンピュータシステムは、
前記ゴルフ場のコンピュータシステムから送信される前記出力スコアカード情報を受信しゴルファ毎に記憶する記憶手段と、ゴルファ毎の出力スコアカード情報をＷｅｂ情報として構築し、前記顧客のコンピュータ端末又は携帯電話からの配信要求に応じて前記通信網を介して当該顧客のコンピュータ端末又は携帯電話に配信するＷｅｂサーバと、ゴルファへのデータ配信に伴う課金処理を行う課金サーバと、を含むこと、
を特徴とするゴルフプレイデータ配信システム。
【請求項８】
ゴルフ場のコンピュータシステムと、ゴルフプレイデータ管理コンピュータシステムと、顧客のコンピュータ端末又は携帯電話と、これら各要素間の交信を行う通信網と、を含むゴルフプレイデータ配信システムであって、
前記ゴルフ場のコンピュータシステムは、
ゴルフコースの各ホール別のホールレイアウトを記した記入用紙群を備えるとともに、ゴルファのゴルフプレイに応じて各ホール別のゴルフボールの打点及び軌跡、スコア、使用クラブの情報が記入用紙群に手書き加筆された加筆スコアカードと、
前記加筆スコアカードにおける各記入用紙別にその画像情報を取得する画像取得手段と、
前記加筆スコアカードに対応する各ホール別のホールレイアウト、スコア及び使用クラブの情報表示欄を有する出力頁情報群を含む未加筆スコアカード情報を記憶する基本情報記憶手段と、
取得した各記入用紙別の画像情報と、未加筆スコアカード情報における対応する各出力頁情報との画像比較により、各ホール別のゴルフボールの打点及び打順に対応した軌跡の判定を行い、対応する各出力頁情報のホールレイアウト上に各々付加するゴルフボール情報処理手段と、
前記各ホール別の画像情報からスコア及び使用クラブの情報を抽出し、対応する各出力頁情報のスコア及び使用クラブの情報表示欄に各々付加する文字情報処理手段と、
各ホール別のゴルフボールの打点及び軌跡とスコア及び使用クラブの情報とが付加された各出力頁情報を出力スコアカード情報として記憶する出力情報記憶手段と、
前記出力スコアカード情報を出力する出力手段と、
を有するコンピュータ装置と、を含み、
前記ゴルフプレイデータ管理コンピュータシステムは、
前記ゴルフ場のコンピュータシステムから送信される前記出力スコアカード情報を受信しゴルファ毎に記憶する記憶手段と、ゴルファ毎の出力スコアカード情報をＷｅｂ情報として構築し、前記顧客のコンピュータ端末又は携帯電話からの配信要求に応じて前記通信網を介して当該顧客のコンピュータ端末又は携帯電話に配信するＷｅｂサーバと、顧客へのデータ配信に伴う課金処理を行う課金サーバと、を含むこと、
ことを特徴とするゴルフプレイデータ配信システム。
【請求項９】
ゴルフ場のコンピュータシステムと、ゴルフプレイデータ管理コンピュータシステムと、顧客のコンピュータ端末又は携帯電話と、これら各要素間の交信を行う通信網と、を含むゴルフプレイデータ配信システムであって、
前記ゴルフ場のコンピュータシステムは、
ゴルフコースの各ホール別のホールレイアウトを記した記入用紙群を備えるとともに、ゴルファのゴルフプレイに応じて各ホール別のゴルフボールの打点及び軌跡、スコア、使用クラブの情報が記入用紙群に手書き加筆された加筆スコアカードと、
前記加筆スコアカードにおける各記入用紙別にその画像情報を取得する画像取得手段と、
前記加筆スコアカードに対応する各ホール別の距離情報を含むホールレイアウト、スコア及び使用クラブの情報表示欄を有する出力頁情報群を含む未加筆スコアカード情報を記憶する基本情報記憶手段と、
取得した各記入用紙別の画像情報と、未加筆スコアカード情報における対応する各出力頁情報との画像比較により、各ホール別のゴルフボールの打点及び打順に対応した軌跡の判定を行い、対応する各出力頁情報のホールレイアウト上に各々付加するゴルフボール情報処理手段と、
前記各ホール別の画像情報からスコア及び使用クラブの情報を抽出し、対応する各出力頁情報のスコア及び使用クラブの情報表示欄に各々付加する文字情報処理手段と、
各ホール別のゴルフボールの打点及び軌跡とスコア及び使用クラブの情報とが付加された各出力頁情報を出力スコアカード情報として記憶する出力情報記憶手段と、
前記各ホール別の画像情報から判定した各ホール別のゴルフボールの打点及び打順、前記各ホール別の画像情報から抽出したスコア及び使用クラブ及び前記距離情報の各情報に基づき、当該ゴルファの詳細プレーデータ分析を行い、分析結果を蓄積するプレーデータ分析・蓄積処理手段と、
前記出力スコアカード情報、前記詳細プレーデータ分析の結果を出力する出力手段と、
を有するコンピュータ装置と、を含み、
前記ゴルフプレイデータ管理コンピュータシステムは、
前記ゴルフ場のコンピュータシステムから送信される前記出力スコアカード情報、前記詳細プレーデータ分析の結果を受信しゴルファ毎に記憶する記憶手段と、ゴルファ毎の出力スコアカード情報をＷｅｂ情報として構築し、前記顧客のコンピュータ端末又は携帯電話からの配信要求に応じて前記通信網を介して当該顧客のコンピュータ端末又は携帯電話に配信するＷｅｂサーバと、顧客へのデータ配信に伴う課金処理を行う課金サーバと、を含むこと、
を特徴とするゴルフプレイデータ配信システム。
【請求項１０】
前記ホールレイアウトは、実際のコースの色彩を反映させたカラー情報である請求項７乃至９のいずれかに記載のゴルフプレイデータ配信システム。
【請求項１１】
前記ゴルフボール情報処理手段は、取得した各記入用紙別の加筆情報と、対応する未加筆スコアカード情報における各出力頁情報上の未加筆領域との差分情報から加筆強度画像を算出、作成し、加筆強度画像中で点状のものを加筆点、線状のものを加筆線として抽出し、加筆点と加筆線の繋がりから各ホール別のゴルフボールの打点及び打順に対応した軌跡を決定することを特徴とする請求項７乃至１０のいずれかに記載のゴルフプレイデータ配信システム。
【請求項１２】
前記プレーデータ分析・蓄積処理手段は、前記各ホール別の画像情報から抽出したスコア及び使用クラブの情報及び前記距離情報に基づき、ティーショット、飛距離、フェアウェイキープ、ラフ打ち込み、バンカー打ち込み、ハザード、ＯＢ、パット、パーオン、ワンオン等に関する各種の詳細情報を分析し蓄積することを特徴とする請求項９に記載のゴルフプレイデータ配信システム。
【請求項１３】
ゴルフ場のコンピュータシステムと、ゴルフプレイデータ管理コンピュータシステムと、顧客のコンピュータ端末又は携帯電話と、これら各要素間の交信を行う通信網と、を含む実プレイ連動ゴルフゲームシステムであって、
前記ゴルフ場のコンピュータシステムは、
ゴルフコースの各ホール別のホールレイアウトを記した記入用紙群を備えるとともに、ゴルファのゴルフプレイに応じて各ホール別のゴルフボールの打点及び軌跡、スコア、使用クラブの情報が記入用紙群に手書き加筆された加筆スコアカードと、
前記加筆スコアカードにおける各記入用紙別にその画像情報を取得する画像取得手段と、
前記加筆スコアカードに対応する各ホール別のホールレイアウト、スコア及び使用クラブの情報表示欄を有する出力頁情報群を含む未加筆スコアカード情報を記憶する基本情報記憶手段と、
取得した各記入用紙別の画像情報と、未加筆スコアカード情報における対応する各出力頁情報との画像比較により、各ホール別のゴルフボールの打点及び打順に対応した軌跡の判定を行い、対応する各出力頁情報のホールレイアウト上に各々付加するゴルフボール情報処理手段と、
前記各ホール別の画像情報からスコア及び使用クラブの情報を抽出し、対応する各出力頁情報のスコア及び使用クラブの情報表示欄に各々付加する文字情報処理手段と、
各ホール別のゴルフボールの打点及び軌跡とスコア及び使用クラブの情報とが付加された各出力頁情報を出力スコアカード情報として記憶する出力情報記憶手段と、
前記出力スコアカード情報を出力する出力手段と、
を有するコンピュータ装置と、を含み、
前記ゴルフプレイデータ管理コンピュータシステムは、
前記ゴルフ場のコンピュータシステムから送信される前記出力スコアカード情報を受信しゴルファ毎に記憶する記憶手段と、ゴルファ毎の出力スコアカード情報をＷｅｂ情報として構築し、前記顧客のコンピュータ端末又は携帯電話からの配信要求に応じて前記通信網を介して当該顧客のコンピュータ端末又は携帯電話に配信するＷｅｂサーバと、顧客へのデータ配信に伴う課金処理を行う課金サーバと、を含み、
前記顧客のコンピュータ端末又は携帯電話は、
前記ゴルフ場の各ホールの景観に対応付けた動画キャラクタによるゴルフゲームソフト、配信されるゴルファ毎の出力スコアカード情報を前記ゴルフゲームソフトに関連付けるデータリンクソフトを含み、前記顧客のコンピュータ端末又は携帯電話にて、当該顧客の前記ゴルフ場での実際のプレイに対応した各ホール別のシュミレーションゲームを実現すること、
を特徴とする実プレイ連動ゴルフゲームシステム。
【請求項１４】
前記ホールレイアウトは、実際のコースの色彩を反映させたカラー情報である請求項１３に記載の実プレイ連動ゴルフゲームシステム。
【請求項１５】
前記ゴルフボール情報処理手段は、取得した各記入用紙別の加筆情報と、対応する未加筆スコアカード情報における各出力頁情報上の未加筆領域との差分情報から加筆強度画像を算出、作成し、加筆強度画像中で点状のものを加筆点、線状のものを加筆線として抽出し、加筆点と加筆線の繋がりから各ホール別のゴルフボールの打点及び打順に対応した軌跡を決定することを特徴とする請求項１３又は１４に記載の実プレイ連動ゴルフゲームシステム。
【発明の詳細な説明】
【技術分野】
【０００１】
本発明は、ゴルフスコアリングシステム、ゴルフプレイデータ配信システム及び実プレイ連動ゴルフゲームシステムに関するものである。
【背景技術】
【０００２】
従来の一般的なゴルフスコアリングの場合、ゴルフ場のホールナンバー、スコア記入欄を設けた表形式の簡略なスコアカードにゴルファが自己のスコア、パット数等を手書き記入し、プレイ後にスコアカードを参照して自己のプレイを振り返ったり、後日の参考等とする場合が殆どであり、ゴルフ用具やゴルフスングの点では目覚ましい進歩を遂げているにもかかわらず、ゴルファが最も切望するスコアアップに有効なコース戦略上の種々の有用な情報を得られていないのが現状である。【０００３】
近年では、コンピュータ技術を活用して、プレイ情報が記されたスコアカードを基にゴルフ場側で当該プレイ情報を処理し、ゴルファに提供したり、インターネットを介してゴルファのコンピュータ端末に配信したりする技術も提案されている。【０００４】
例えば、特許文献１には、ゴルフ場側端末装置と競技者側端末装置と本部サーバ装置とによってネット構成し、競技者側が専用スコアカードにスコア情報を競技者情報と共に記入してゴルフ場側に提出し、ゴルフ場側が該スコアカードに記入された情報を本部側サーバ装置に送信し、これを本部側サーバ装置がデータ分析し、一元的に記憶管理するとともに、ゴルファの自宅等に設置されたコンピュータ端末等からの開示要求があった際、データ処理により開示要求情報をＷｅｂページ用のファイルに生成してインターネットを介して配信するように構成したゴルフ情報管理配信システムが提案されている。【０００５】
しかし、この特許文献１の場合も、データ分析による開示要求情報の内容は、スコアカードに記入された情報に基づいた各ホール別のスコアとパット数、ドラコンホールでの飛距離等の文字データを主体とするにすぎず、各ホールでのゴルフボールの打点や軌跡等のビジュアル情報、さらには詳細なデータ分析情報までも含むものではなく、ゴルファにとって必ずしも満足し得るものではない。
【特許文献１】特開２００４−０７８４９２号公報
【発明の開示】
【発明が解決しようとする課題】
【０００６】
本発明が解決しようとする問題点は、ゴルファにとって極めて有用なコース戦略上の種々の有用な情報を得ることができ、また、ゴルフ場等の運営者側にとっても顧客増、売上増等営業戦略上極めて有用なゴルフスコアリングシステム、ゴルフプレイデータ配信システムが存在しない点である。
【課題を解決するための手段】
【０００７】
本発明のゴルフスコアリングシステムは、ゴルフコースの各ホール別のホールレイアウトを記した記入用紙群を備えるとともに、ゴルファのゴルフプレイに応じて各ホール別のゴルフボールの打点及び軌跡、スコア、使用クラブの情報が記入用紙群に手書き加筆された加筆スコアカードと、前記加筆スコアカードにおける各記入用紙別にその画像情報を取得する画像取得手段と、前記加筆スコアカードに対応する各ホール別のホールレイアウト、スコア及び使用クラブの情報表示欄を有する出力頁情報群を含む未加筆スコアカード情報を記憶し、前記画像取得手段にて取得した各記入用紙別の画像情報と、未加筆スコアカード情報における対応する各出力頁情報との画像比較に基づき、各ホール別のゴルフボールの打点及び打順に対応した軌跡の決定と、各ホール別のスコア及び使用クラブの情報を抽出とを行い、各ホール別のゴルフボールの打点及び軌跡と、スコア及び使用クラブの情報とを対応する各出力頁情報に付加して出力スコアカード情報を生成して出力するコンピュータ装置と、を含むことを最も主要な特徴とする。
【発明の効果】
【０００８】
請求項１、２記載の発明によれば、ゴルファが加筆スコアカードに各ホール別のゴルフボールの打点及び軌跡、スコア、使用クラブの情報を手書き加筆するだけで、各ホール別のゴルフボールの打点及び打順に対応した軌跡と、各ホール別のスコア及び使用クラブの情報が記載された奇麗な出力スコアカードを当該ゴルファに提供することが可能となり、ゴルファにとって極めて有用なコース戦略上の情報を取得でき、また、ゴルフ場等の運営者側にとっても顧客増、売上増等を期待できるゴルフスコアリングシステムを提供することができる。【０００９】
請求項３記載の発明によれば、請求項１、２記載の発明の効果を奏することに加え、ゴルフプレイの技術向上に結び付くより詳細なプレーデータをも当該ゴルファに提供することが可能なゴルフスコアリングシステムを提供することができる。【００１０】
請求項４記載の発明によれば、前記ホールレイアウトを、実際のコースの色彩を反映させたカラー情報としているので、請求項１乃至３のいずれかに記載の発明の効果を奏するとともに、見栄えの良い出力スコアカードをゴルファに提供することができるゴルフスコアリングシステムを提供することができる。【００１１】
請求項５記載の発明によれば、前記ゴルフボール情報処理手段を、取得した各記入用紙別の加筆情報と、対応する未加筆スコアカード情報における各出力頁情報上の未加筆領域との差分情報から加筆強度画像を算出、作成し、加筆強度画像中で点状のものを加筆点、線状のものを加筆線として抽出し、加筆点と加筆線の繋がりから各ホール別のゴルフボールの打点及び打順に対応した軌跡を決定する構成として、請求項１乃至４のいずれかに記載の発明の効果を奏するゴルフスコアリングシステムを提供することができる。【００１２】
請求項６記載の発明によれば、請求項３に記載の発明において、前記プレーデータ分析処理手段により、各ホール別の画像情報から抽出した距離情報、スコア及び使用クラブの情報に基づき、ティーショット、飛距離、フェアウェイキープ、ラフ打ち込み、バンカー打ち込み、ハザード、ＯＢ、パット、パーオン、ワンオン等に関する各種の詳細情報を分析処理する構成としているので、ゴルフプレイの技術向上に結び付く極めて詳細なプレーデータをゴルファに提供することができるゴルフスコアリングシステムを提供することができる。【００１３】
請求項７、８記載の発明によれば、請求項１、２記載の発明の効果を奏することに加え、顧客のコンピュータ端末又は携帯電話からの配信要求に応じて前記出力スコアカード情報を通信網を介して当該顧客のコンピュータ端末又は携帯電話に配信するとともに、この際の課金処理をも行うので、顧客であるゴルファは、後に自宅等おいて前記出力スコアカード情報を入手し、以後のゴルフ技術向上のための参考情報として活用することができ、また、ゴルフ場等の運営者側にとっても収益向上を期待できるゴルフプレイデータ配信システムを提供することができる。【００１４】
請求項９記載の発明によれば、請求項７、８記載の発明の効果を奏することに加え、ゴルフプレイの技術向上に結び付く詳細プレーデータをも当該ゴルファに提供することが可能なゴルフプレイデータ配信システムを提供することができる。【００１５】
請求項１０記載の発明によれば、請求項７乃至９記載の発明の効果を奏するとともに、見栄えの良い出力スコアカードを通信網を介してゴルファに提供可能なゴルフプレイデータ配信システムを提供することができる。【００１６】
請求項１１記載の発明によれば、前記ゴルフボール情報処理手段を、取得した各記入用紙別の加筆情報と、対応する未加筆スコアカード情報における各出力頁情報上の未加筆領域との差分情報から加筆強度画像を算出、作成し、加筆強度画像中で点状のものを加筆点、線状のものを加筆線として抽出し、加筆点と加筆線の繋がりから各ホール別のゴルフボールの打点及び打順に対応した軌跡を決定する構成として、請求項７乃至１０のいずれかに記載の発明の効果を奏するゴルフスコアリングシステムを提供することができる。【００１７】
請求項１２記載の発明によれば、請求項９に記載の発明において、前記プレーデータ分析処理手段により、各ホール別の画像情報から抽出した距離情報、スコア及び使用クラブの情報に基づき、ティーショット、飛距離、フェアウェイキープ、ラフ打ち込み、バンカー打ち込み、ハザード、ＯＢ、パット、パーオン、ワンオン等に関する各種の詳細情報を分析処理する構成としているので、ゴルフプレイの技術向上に結び付く極めて詳細なプレーデータを通信網を介してゴルファに提供することが可能なゴルフプレイデータ配信システムを提供することができる。【００１８】
請求項１３記載の発明によれば、顧客であるゴルファは、自己のコンピュータ端末又は携帯電話にて動画キャラクタによるゴルフ場での実際の自己のプレイに対応した各ホール別のシュミレーションゲームを楽しむことができ、極めて興趣に富んだ実プレイ連動ゴルフゲームシステムを提供することができる。【００１９】
請求項１４記載の発明によれば、請求項１３記載の発明において、ホールレイアウトを、実際のコースの色彩を反映させたカラー情報としているので、ゴルフ場での実際のプレイに近似した感覚をもってシュミレーションゲームを楽しむことができる実プレイ連動ゴルフゲームシステムを提供することができる。【００２０】
請求項１５記載の発明によれば、前記ゴルフボール情報処理手段を、取得した各記入用紙別の加筆情報と、対応する未加筆スコアカード情報における各出力頁情報上の未加筆領域との差分情報から加筆強度画像を算出、作成し、加筆強度画像中で点状のものを加筆点、線状のものを加筆線として抽出し、加筆点と加筆線の繋がりから各ホール別のゴルフボールの打点及び打順に対応した軌跡を決定する構成として、請求項１３又は１４のいずれかに記載の発明の効果を奏する実プレイ連動ゴルフゲームシステムを提供することができる。
【発明を実施するための最良の形態】
【００２１】
本発明は、ゴルファにとって極めて有用なコース戦略上の種々の有用な情報を得ることができ、また、ゴルフ場等の運営者側にとっても顧客増、売上増等営業戦略上極めて有用なゴルフスコアリングシステムを提供することを目的とする。【００２２】
本発明のゴルフスコアリングシステムは、ゴルフコースの各ホール別のホールレイアウトを記した記入用紙群を備えるとともに、ゴルファのゴルフプレイに応じて各ホール別のゴルフボールの打点及び軌跡、スコア、使用クラブの情報が記入用紙群に手書き加筆された加筆スコアカードと、前記加筆スコアカードにおける各記入用紙別にその画像情報を取得する画像取得手段と、前記加筆スコアカードに対応する各ホール別のホールレイアウト、スコア及び使用クラブの情報表示欄を有する出力頁情報群を含む未加筆スコアカード情報を記憶する基本情報記憶手段と、取得した各記入用紙別の画像情報と、未加筆スコアカード情報における対応する各出力頁情報との画像比較により、各ホール別のゴルフボールの打点及び打順に対応した軌跡の判定を行い、対応する各出力頁情報のホールレイアウト上に各々付加するゴルフボール情報処理手段と、前記各ホール別の画像情報からスコア及び使用クラブの情報を抽出し、対応する各出力頁情報のスコア及び使用クラブの情報表示欄に各々付加する文字情報処理手段と、各ホール別のゴルフボールの打点及び軌跡とスコア及び使用クラブの情報とが付加された各出力頁情報を出力スコアカード情報として記憶する出力情報記憶手段と、前記出力スコアカード情報を出力する出力手段と、を有するコンピュータ装置と、を含む構成により上記目的を実現した。
【実施例】
【００２３】
以下に、本発明の実施例に係るゴルフスコアリングシステム、ゴルフプレイデータ配信システム及び実プレイ連動ゴルフゲームシステムについて詳細に説明する。【００２４】
（実施例１）
図１乃至図１０を参照して本発明の実施例１に係るゴルフスコアリングシステム１について説明する。【００２５】
本実施例１に係るゴルフスコアリングシステム１は、図１、図２、図３に示すように、ゴルファがプレイするゴルフコースの例えば１８ホール別のホールレイアウト等が記された１８ページ綴りの記入用紙３及び表紙３ａを含み、ゴルフプレイに応じて手書き加筆される加筆スコアカード２と、当該ゴルフ場に設置した前記加筆スコアカード２における各記入用紙３別に（１８ホール分の記入用紙３別に）その画像情報を取得するカラースキャナのような画像取得手段１０と、当該ゴルフ場に設置したコンピュータ装置２０と、を有し、前記加筆スコアカード２を基に、実際のゴルフプレイに対応した各ホール別のゴルフボールの打点及び打順に対応した軌跡、各ホール別のスコア及び使用クラブの情報等が記載された奇麗に印刷処理された出力スコアカード２Ａを作成し、プレイしたゴルファ等に提供するように構成している。尚、図１には、一箇所のゴルフ場に配置したゴルフスコアリングシステム１を示すが、これに限らず複数のゴルフ場に各々ゴルフスコアリングシステム１を配置することももちろん可能である。【００２６】
前記加筆スコアカード２は、図２に示すように、ゴルファがポケット等に入れて携帯可能な小冊子構成となっている。前記加筆スコアカード２を構成する記入用紙３の一例を図３に示す。【００２７】
前記記入用紙３には、図３に１ホール分を示すように、各ホール毎のホールナンバ、距離、「パー４」等のパーデータ、個々のゴルファを識別するための二次元コードが予め記されるとともに、実際のホールの色彩を反映させたティグラウンドからグリーンまでのカラーによるホールレイアウト、手書き用のスコア及びパット数の情報記入欄、使用クラブの情報記入欄、コメント記入欄等が予め記されている。【００２８】
前記ホールレイアウトは、ティーグランド、フェアウェイ、ラフ、グリーン、バンカー、池、樹木等の領域や存在物別に複数の有彩色で色分けし、実際のコースの色彩を反映させた態様に形成している。【００２９】
尚、図３に示す記入用紙３は、ローアマ向け用に構成したものであり、この他、図４に示すように、例えばティグラウンドから例えば１５０ヤードまでの領域を省略し、フェアウェイ途中からグリーンまでのカラーによるホールレイアウトを記し、他は上述した場合と同様としたハイアマ向けの記入用紙３を例えば１８ホール分小冊子状に綴った加筆スコアカード２を採用することもできる。【００３０】
次に、前記コンピュータ装置２０について、図１を参照して詳述する。【００３１】
このコンピュータ装置２０は、該コンピュータ装置２０全体の動作制御用の動作プログラムを格納した動作プログラムメモリ２１と、動作プログラムに基づき全体の動作制御を行う制御部４０と、前記加筆スコアカード２に対応する各ホール別の距離情報（例えばティーグランドからフェアウェイ各部に至る距離情報、フェアウェイ各部からグリーン上のピンに至る距離情報等）を含むカラー情報によるホールレイアウト、スコア、パット数及び使用クラブの各情報表示欄を有する出力頁情報群を含む未加筆スコアカード情報を記憶する基本情報記憶手段２２と、前記画像取得手段１０にて取得した各記入用紙３別の画像情報と、未加筆スコアカード情報における対応する各ホール別の出力頁情報との画像比較により、各ホール別のゴルフボールの打点及び打順に対応した軌跡の判定を行い、対応する各出力頁情報のホールレイアウト上に各々付加するゴルフボール情報処理手段２３と、前記各ホール別の画像情報からスコア、パット数及び使用クラブの情報を抽出し、対応する各出力頁情報のスコア、パット数及び使用クラブの情報表示欄に各々付加する文字情報処理手段２４と、各ホール別のゴルフボールの打点及び軌跡とスコア、パット数及び使用クラブの情報とが付加された各出力頁情報を出力スコアカード情報として記憶する出力情報記憶手段２５と、前記各ホール別の画像情報から判定した各ホール別のゴルフボールの打点及び打順、前記各ホール別の画像情報から抽出したスコア、パット数、使用クラブ及び前記距離情報の各情報に基づき、当該ゴルファの詳細プレーデータ分析を行い、分析結果を蓄積するプレーデータ分析・蓄積処理手段２６と、前記出力スコアカード情報、前記詳細プレーデータ分析の結果を出力する表示手段２８、プリンタ２９を含む出力手段２７と、後述するインターネットに接続するための通信インターフェース３０と、を有している。【００３２】
前記ゴルフボール情報処理手段２３は、図５に示す一連の画像処理アルゴリズムを実行する処理プログラムを搭載し図６乃至図８に示す処理を実行する。尚、図６乃至図８は、図４に示すハイアマ用の記入用紙３の記載に基づいた一連の画像処理例を示している。【００３３】
すなわち、前記ゴルフボール情報処理手段２３は、前記画像取得手段１０にて取得した図６に示すような記入用紙３別の加筆情報と、前記基本情報記憶手段２２に記憶している未加筆スコアカード情報中の前記記入用紙３に対応する各出力頁情報上の未加筆領域との差分情報から図７に示すような加筆強度画像を算出、作成し、同図に示す加筆強度画像中で点状のものを加筆点（加筆強度が狭い範囲に集中している箇所）、線状のものを加筆線（加筆強度が細長く連続している箇所）として抽出し、加筆点と加筆線の繋がりから前記記入用紙３が示すホールのゴルフボールの打点及び打順に対応した軌跡を決定して、決定した打点及び打順に対応した軌跡を対応する出力頁情報上に図８に示す態様で付するように構成している。このような処理が１８ホール分の各記入用紙３別に各々実行される。【００３４】
尚、図６、図８においては、ゴルフボールの軌跡がストレートラインで付されているが、例えばゴルファがスライスライン、フックラインを手書き記入した場合には、出力頁情報上に付される軌跡もスライスライン、フックラインとなることはもちろんである。【００３５】
また、上述した加筆強度画像は、差分情報の他に一般的な画像処理により生成することもできる。【００３６】
前記文字情報処理手段２４は、前記画像取得手段１０にて取得した各ホール別の画像情報からスコア、パット数及び使用クラブの情報を抽出し、対応する各出力頁情報のスコア、パット数及び使用クラブの情報表示欄に各々付加する。
これらの処理結果は、出力スコアカード情報として前記出力情報記憶手段２５に記憶される。【００３７】
前記プレーデータ分析・蓄積処理手段２６は、図９に示すように、前記基本情報記憶手段２２に記憶した距離情報と、ゴルフボール情報処理手段２３にて決定したゴルフボールの打点及び打順に対応した軌跡の情報とからティショット等の飛距離を判定し数値データとして出力する飛距離判定部３１と、前記各ホール別の画像情報から抽出したスコア、パット数及び使用クラブの情報を数値データに変換する数値化処理部３２と、飛距離データ、スコア、パット数及び使用クラブの数値データを基にティーショット、飛距離、フェアウェイキープ、ラフ打ち込み、バンカー打ち込み、ハザード、ＯＢ、パット、パーオン、ワンオン等に関する各種の数値やパーセンテージ等の図１０下欄に示す詳細情報を分析処理する分析部３３と、この分析部３３の分析結果をチャート（例えばレーダーチャート）化した図１０上欄に示す打球軌跡分析図を作成するチャート化処理部３４と、前記分析部３３の分析結果や前記打球軌跡分析図を記憶する詳細情報記憶部３５とを有している。【００３８】
次に、本実施例１に係るゴルフスコアリングシステム１の作用、効果について説明する。【００３９】
ゴルフ場において、共にラウンドする各ゴルファは、ラウンド前に加筆スコアカード２を各々受け取り、１番ホールから順に１８番ホールまでゴルフプレイを実行する。【００４０】
このとき、各ゴルファは、前記各ホールのプレイ終了毎に手書き用の１８ページ綴りの記入用紙３に自己の各打の始点、飛球ライン、着地点、パッティングラインを鉛筆にて書き入れ、さらに、ホールスコア、パッと数も手書きにて記入し、合計１８枚の記入用紙３を作成する。【００４１】
１ラウンド終了後、各ゴルファは手書き記入済みの加筆スコアカード２をゴルフ場側に提出する。
ゴルフ場側では、前記画像取得手段１０により、加筆スコアカード２の各記入用紙３に対する画像読み取りを行い、その画像情報を取得する。このような処理が各ゴルファの加筆スコアカード２別に実行される。【００４２】
次に、前記コンピュータ装置２０により、出力スコアカード情報の生成及び出力処理が実行される。【００４３】
すなわち、前記コンピュータ装置２０におけるゴルフボール情報処理手段２３は、前記画像取得手段１０にて取得した各記入用紙３別の画像情報と、基本情報記憶手段２２に記憶している未加筆スコアカード情報における対応する各ホール別の出力頁情報との画像比較により、既述した図６乃至図８に示す一連の画像処理を実行し、各ホール別のゴルフボールの打点及び打順に対応した軌跡の判定を行い、これを対応する各出力頁情報のホールレイアウト上に各々付加する。【００４４】
また、前記文字情報処理手段２４は、前記画像取得手段１０にて取得した各ホール別の画像情報から文字認識処理によりスコア、パット数及び使用クラブの情報を抽出し、対応する各出力頁情報のスコア、パット数及び使用クラブの情報表示欄に各々付加する。【００４５】
前記出力情報記憶手段２５は、上述のようにして判定した各ホール別のゴルフボールの打点及び打順に対応した軌跡及びスコア、パット数及び使用クラブの情報が付加された各出力頁情報を出力スコアカード情報として記憶する。【００４６】
さらに、前記プレーデータ分析・蓄積処理手段２６は、既述した飛距離判定部３１、数値化処理部３２、分析部３３、チャート化処理部３４及び詳細情報記憶部３５の動作の基に、図１０に示すようなティーショット、飛距離、フェアウェイキープ、ラフ打ち込み、バンカー打ち込み、ハザード、ＯＢ、パット、パーオン、ワンオン等に関する各種の数値やパーセンテージ等のデータ、打球軌跡分析図を詳細プレーデータとしてゴルファ毎に記憶、蓄積する。【００４７】
前記出力手段２７のプリンタ２９は、ゴルファ毎に前記出力スコアカード情報に基づいた小冊子状の出力スコアカード２Ａ、図１０に示すような態様の詳細プレーデータを印刷出力する。これらの出力スコアカード２Ａ、詳細プレーデータは、当該ゴルファに提供される。【００４８】
尚、上述した小冊子状の出力スコアカード２Ａにおける各ホール別のゴルフボールの打点及び打順に対応した軌跡の表示態様は、ゴルファ単独のみ表示の他、同時にプレイした例えば４人のゴルファの同時表示等の態様とすることももちろん可能である。【００４９】
以上の処理により、ゴルファが加筆スコアカード２における各記入用紙３に各ホール別のゴルフボールの打点及び軌跡、スコア、使用クラブの情報を手書き加筆し、ゴルフ場側に提出するだけで、各ホール別のゴルフボールの打点及び打順に対応した軌跡、各ホール別のスコア及び使用クラブの情報等が記載され、しかも見栄えが良く奇麗に印刷処理されたカラーの出力スコアカード２Ａや、詳細プレーデータを当該ゴルファは取得できることになり、当該ゴルファにとって有用なコース戦略上の情報を取得できる。【００５０】
また、本実施例１によれば、当該ゴルファは、ティーショット、飛距離、フェアウェイキープ、ラフ打ち込み、バンカー打ち込み、ハザード、ＯＢ、パット、パーオン、ワンオン等に関する詳細プレーデータも取得できるので、個々のゴルファのゴルフプレイの技術向上に有意義に寄与するゴルフスコアリングシステム１を構築することができる。【００５１】
さらに、ゴルフ場等の運営者側にとっても顧客増、売上増等を期待できるゴルフスコアリングシステム１を構築することができる。【００５２】
（実施例２）
次に、図１１、図１２を参照して、本発明の実施例２に係るゴルフプレイデータ配信システム４１について説明する。【００５３】
本実施例２に係るゴルフプレイデータ配信システム４１は、図１１に概略構成を示すように、実施例１の場合と同様な加筆スコアカード２、ゴルフ場の画像取得手段１０及びコンピュータ装置２０を含み、さらに、コンピュータ装置２０に例えば専用回線等の通信回線５０で接続された前記ゴルフ場からの委託等により設置されるゴルフプレイデータ管理コンピュータシステム（ＡＳＰ（Application Service Provider））４３、公知のインターネット網４４及び携帯電話網４５、顧客（例えば実際にプレイしたゴルファ等）の汎用されているコンピュータ端末４６、顧客の汎用されている携帯電話４７を含み、ゴルフプレイデータ管理コンピュータシステム４３により、顧客のコンピュータ端末４６、携帯電話網４５に既述した出力スコアカード２Ａの情報、詳細プレーデータを配信するように構成している。尚、図１１では顧客のコンピュータ端末４６、携帯電話４７を一台ずつ示しているが、複数の顧客の各コンピュータ端末４６、各携帯電話４７へゴルフプレイデータを配信することももちろん可能である。【００５４】
また、本実施例２に係るゴルフプレイデータ配信システム４１は、前記インターネット網４４を介してハンディキャップ認定機関端末４８、ゴルフ練習場端末４９にもデータ配信を行うように構成している。尚、前記ゴルフ練習場端末４９へのデータ配信は、単一のゴルフ練習場端末４９にみならず、複数箇所のゴルフ練習場の各ゴルフ練習場端末４９へのデータ配信を行う構成とすることももちろん可能である。【００５５】
前記ゴルフプレイデータ管理コンピュータシステム４３は、図１２に概略構成を示すように、例えばＬＡＮ等の内部通信網５１を具備し、この内部通信網５１に対して、前記通信回線５０を介してコンピュータ装置２０の通信インターフェース３０と接続されるルータ等の第１通信処理部５２と、前記コンピュータ装置２０から送信される前記出力スコアカード２Ａの情報、前記詳細プレーデータ分析の結果を受信しゴルファ毎に記憶するハードディスク等の記憶手段５６と、前記インターネット網４４に接続されるルータ等の第２通信処理部５３と、顧客（ゴルファ）毎に各々前記識別情報に関連付けた出力スコアカード２Ａの情報、詳細プレーデータの情報をＷｅｂ情報とし、顧客からの要求により当該コンピュータ端末４６又は携帯電話４７に提供するＷｅｂサーバ５４と、顧客へのデータ配信に伴い、詳細は省略するが予め設定した料金体系の基に公知の方法で課金処理を行う課金サーバ５５等を接続している。【００５６】
本実施例２に係るゴルフプレイデータ配信システム４１によれば、実施例１の場合と同様な作用、効果を発揮するとともに、顧客のコンピュータ端末４６又は顧客の携帯電話４７からのデータ配信要求に応じて、Ｗｅｂサーバ５４により既述した出力スコアカード２Ａの情報、詳細プレーデータを顧客のコンピュータ端末４６又は顧客の携帯電話４７に配信することができ、顧客は随時自己の出力スコアカード２Ａの情報、詳細プレーデータの情報を入手することができる。このような処理が個々の顧客毎に随時実行される。【００５７】
これにより、顧客は自宅等で自己の出力スコアカード２Ａの情報、詳細プレーデータの情報を見て、以後のゴルフプレイへの参考資料、ゴルフ技術向上のための指針等とすることができる。【００５８】
また、ゴルフプレイデータ配信システム４１の運営者側にとっても、課金サーバ５５の動作によってデータ配信による収益向上を期待できる利点がある。【００５９】
尚、上述したデータ配信に伴う個人認証処理は公知の方法で行なわれるのでここではその説明を省略する。【００６０】
この他に、本実施例２に係るゴルフプレイデータ配信システム４１によれば、図示しないメールサーバを使用した電子メールによる顧客へのデータ配信処理を実行することももちろん可能である。【００６１】
また、上述した既述した出力スコアカード２Ａの情報、詳細プレーデータ等を、前記ハンディキャップ認定機関端末４８に送信してハンディキャップの認定を受けたり、或いは顧客が練習に行くゴルフ練習場に設置したゴルフ練習場端末４９にて受信し、当該顧客のゴルフレッスンに役立てたりすることもできる。【００６２】
この場合、ゴルフ練習場端末４９が設置されたゴルフ練習場において、図示しないがモーションアナライザを配置し、顧客のゴルフスィングの姿を撮影、解析し、前記詳細プレーデータ等と組み合わせてレッスンプロの指導の基にスィング改造を行う等の有益な活用を図ることができる。【００６３】
（実施例３）
次に、図１３、図１４を参照して本発明の実施例３に係る実プレイ連動ゴルフゲームシステム６１について説明する。【００６４】
本実施例３に係る実プレイ連動ゴルフゲームシステム６１は、前記ハンディキャップ認定機関端末４８、ゴルフ練習場端末４９を備えない点を除いて、実施例２に係るゴルフプレイデータ配信システム４１と略同様な構成であるが、前記顧客のコンピュータ端末４６又は携帯電話４７は、前記ゴルフ場の各ホールの景観に対応付けた動画キャラクタによるゴルフゲームソフト、ゴルフプレイデータ管理コンピュータシステム４３から配信されるゴルファ毎の出力スコアカード情報を前記ゴルフゲームソフトに関連付けるデータリンクソフトを搭載し、前記顧客のコンピュータ端末４６又は携帯電話４７にて、当該顧客の前記ゴルフ場での実際のプレイに対応した各ホール別のシュミレーションゲームを動画キャラクタを介して実現するものである。【００６５】
前記ゴルフゲームソフトは、前記コンピュータ装置２０を備えたゴルフ場のホール毎の画像上で人間の形をした動画キャラクタがウッドやアイアンによるショット、パッティング等のゴルフプレイ動作を実行する機能を有している。
この場合、前記携帯電話４７としては、動画再生、音再生機能を有する公知の携帯電話、例えばＩＭＴ−２０００に準拠した方式を採用し、ＣＤＭＡ技術を利用した３Ｇ携帯電話を使用する。【００６６】
また、前記ゴルフゲームソフト、データリンクソフトは、例えばゴルフプレイデータ管理コンピュータシステム４３がゲームソフト配信業者から予め取得し顧客の要請に応じて顧客のコンピュータ端末４６又は携帯電話４７に送信する方法、顧客自身がコンピュータ端末４６又は携帯電話４７にゲームソフト配信業者から直接ダウンロードし、インストールしておく方法等を挙げることができる。【００６７】
本実施例３に係る実プレイ連動ゴルフゲームシステム６１によれば、実施例１の場合と同様な作用、効果を発揮するとともに、図１４に示すように、例えば顧客のコンピュータ端末４６の画面に実際のゴルフ場のホールに対応した画像が表示されるとともに当該顧客の出力スコアカード情報と顧客のマウス操作等による指示等に基づき動画キャラクタがウッドやアイアンによるショット、パッティング等のゴルフプレイ動作を実際のゴルフプレイ動作に対応する状態でかつホール毎に実行させることができ、これにより、顧客はコンピュータ端末４６を使用して自己の実際のゴルフプレイに対応した動画によるシュミレーションゲームを楽しむことができる。【００６８】
さらに、前記携帯電話４７を使用する場合にも、その画面に実際のゴルフ場のホールに対応した画像が表示されるとともに携帯電話４７におけるボタン指示に基づき動画キャラクタがウッドやアイアンによるショット、パターによるパッティング等のゴルフプレイ動作を当該ユーザの実際のゴルフプレイ動作に対応する状態でかつホール毎に実行する。【００６９】
これにより、当該顧客は、携帯電話４７を使用して自己の当該ゴルフ場での実際のゴルフプレイに対応した動画によるシュミレーションゲームを楽しむことができる。【００７０】
また、実プレイ連動ゴルフゲームシステム６１の運営者側にとっても、前記課金サーバ５５の動作によって顧客へのデータ配信による収益向上を期待できる利点がある。【００７１】
尚、上述したデータ配信に伴う個人認証処理は公知の方法で行なわれるのでここではその説明を省略する。【００７２】
本実施例３に係る実プレイ連動ゴルフゲームシステム６１は、さらに種々の応用が可能である。例えば、顧客のコンピュータ端末４６又は携帯電話４７に、ゴルフプレイデータ管理コンピュータシステム４３に予め記憶した有名ゴルフ場等の実際のホールを模擬したゴルフゲームソフトと、その有名ゴルフ場で実際にラウンドした有名プロゴルファーのラウンドデータを配信し、顧客のコンピュータ端末４６又は携帯電話４７において有名プロゴルファーとの対戦ゲームを実現するというような応用も可能である。【００７３】
また、例えば実際にゴルフ場で同時にプレイしたゴルファ二人分の既述したようなホール別の出力スコアカード情報を顧客のコンピュータ端末４６又は携帯電話４７で受信し、ゴルフゲームソフトにより、同一ホールにて同時に二人がティーショットを打って競い合うというような応用も可能である。
【産業上の利用可能性】
【００７４】
本発明に係るゴルフスコアリングシステム、ゴルフプレイデータ配信システムは、上述した他に、例えばプレイに応じたスコアカードを作成する球技、例えば、サッカー、野球、ソフトボール、バスケットボール等におけるプレイ情報処理、分析用等として広範に応用可能である。
【図面の簡単な説明】
【００７５】
【図１】本発明の実施例１に係るゴルフスコアリングシステムの構成を示す概略ブロック図である。
【図２】本実施例１に係るゴルフスコアリングシステムにおける加筆スコアカード、出力スコアカードの外観図である。
【図３】本実施例１に係るゴルフスコアリングシステムにおける加筆スコアカードを構成する記入用紙の一例を示す図である。
【図４】本実施例１に係るゴルフスコアリングシステムにおけるハイアマ用の記入用紙の一例を示す図である。
【図５】本実施例１に係るゴルフスコアリングシステムにおけるゴルフボール情報処理手段の処理アルゴリズムを示す説明図である。
【図６】本実施例１に係るゴルフスコアリングシステムにおける記入用紙から抽出する加筆情報を示す説明図である。
【図７】本実施例１に係るゴルフスコアリングシステムにおける加筆強度画像を示す説明図である。
【図８】本実施例１に係るゴルフスコアリングシステムにおける出力頁情報上に決定した打点及び打順に対応した軌跡を付した状態を示す説明図である。
【図９】本実施例１に係るゴルフスコアリングシステムにおけるプレーデータ分析・蓄積処理手段の構成を示す概略ブロック図である。
【図１０】本実施例１に係るゴルフスコアリングシステムにおけるプレーデータ分析・蓄積処理手段による分析結果を示す表及びチャートである。
【図１１】本発明の実施例２に係るゴルフプレイデータ配信システムの構成を示す概略ブロック図である。
【図１２】本実施例２に係るゴルフプレイデータ配信システムにおけるゴルフプレイデータ管理コンピュータシステムの概略ブロック図である。
【図１３】本発明の実施例３に係る実プレイ連動ゴルフゲームシステムの構成を示す概略ブロック図である。
【図１４】本実施例３に係る実プレイ連動ゴルフゲームシステムにおけるコンピュータ端末を使用して動画によるシュミレーションゲームを行う場合の画面表示例を示す説明図である。
【符号の説明】
【００７６】
１    ゴルフスコアリングシステム
２    加筆スコアカード
２Ａ  出力スコアカード
３    記入用紙
３ａ  表紙
１０    画像取得手段
２０    コンピュータ装置
２１    動作プログラムメモリ
２２    基本情報記憶手段
２３    ゴルフボール情報処理手段
２４    文字情報処理手段
２５    出力情報記憶手段
２６    プレーデータ分析・蓄積処理手段
２７    出力手段
２８    表示手段
２９    プリンタ
３０    通信インターフェース
３１    飛距離判定部
３２    数値化処理部
３３    分析部
３４    チャート化処理部
３５    詳細情報記憶部
４０    制御部
４１    ゴルフプレイデータ配信システム
４３    ゴルフプレイデータ管理コンピュータシステム
４４    インターネット網
４５    携帯電話網
４６    コンピュータ端末
４７    携帯電話
４８    ハンディキャップ認定機関端末
４９    ゴルフ練習場端末
５０    通信回線
５１    内部通信網
５２    第１通信処理部
５３    第２通信処理部
５４    Ｗｅｂサーバ
５５    課金サーバ
５６    記憶手段
６１    実プレイ連動ゴルフゲームシステム
【図１】
2009091060.tif 000003
【図２】
2009091060.tif 000004
【図３】
2009091060.tif 000005
【図４】
2009091060.tif 000006
【図５】
2009091060.tif 000007
【図６】
2009091060.tif 000008
【図７】
2009091060.tif 000009
【図８】
2009091060.tif 000010
【図９】
2009091060.tif 000011
【図１０】
2009091060.tif 000012
【図１１】
2009091060.tif 000013
【図１２】
2009091060.tif 000014
【図１３】
2009091060.tif 000015
【図１４】
2009091060.tif 000016
【国際調査報告】
2009091060.tif 000017
2009091060.tif 000018
2009091060.tif 000019
2009091060.tif 000020